(57)【要約】【課題】片手で操作できように押しボタンを押しても、蓋体が勢いよく開口して反動で落下したり、化粧料が飛散したりせず、可変速度でスムーズに開口するヒンジ機構を備えた化粧料容器を提供する。【解決手段】ヒンジ部３０は、容器本体側ヒンジ部５０の保持孔５３にねじりバネ６０を収納し、係止突起６０ａを係止穴５３ａに係止し、断面が略楕円形状を形成している挿通孔５２に支軸７０のスリップ部材７３側を挿入するとともに蓋体側ヒンジ部４０の挿通孔４２に頭部７２側を挿入し、係止突起６０ｂと係止穴７２ａとをねじりバネ６０に付勢力を持たせた状態で係止させた構成とした。【選択図】図３
2008100762.tif 000002
【特許請求の範囲】
【請求項１】
物品を収納可能な箱体と、この箱体を閉塞する蓋体とからなり、
箱体と、蓋体とはヒンジを介して開閉自在に回動するとともに、
箱体を蓋体により閉塞した状態で、蓋体の開口動作を防止する係止手段を設けた収納容器において、
この収納容器の係止手段による係止を解除した際に、ヒンジによって開口する蓋体の開口状態が初期開口と、この初期開口以降の通常開口との少なくとも２段階で開口するとともに、それぞれ異なる速度で開口することを特徴としたヒンジ機構。
【請求項２】
前記収納容器におけるヒンジは、箱体側ヒンジ部と蓋体側ヒンジ部とからなり、
互いに連通する挿通孔を有しており、この挿通孔内に付勢部材を配し、かつ、この付勢部材によって回転する回転部材を配するとともに、この回転部材に固着されたスリップ部材とからなり、このスリップ部材は、挿通孔の内壁にスリップしながら回転部材とともに回転することを特徴とした請求項１に記載のヒンジ機構。
【請求項３】
前記付勢部材は、一端が箱体側ヒンジ部に係止されるとともに、他端が回転部材に係止されており、この回転部材は、箱体側ヒンジ部の挿通孔内にスリップ部材側を配し、一方対向する側を蓋体側の挿通孔に固定したことを特徴とする請求項１または２に記載のヒンジ機構。
【請求項４】
前記箱体側ヒンジ部における挿通孔は、断面が略楕円形状をなしており、スリップ部材を備えた回転部材の初期開口時にはスリップ部材の先端が挿通孔の内壁に無接触であり、蓋体が任意の角度に初期開口した時点でスリップ部材と挿通孔の内壁とが接触し、干渉が始まるとともに、このスリップ部材のスリップ抵抗により、回転部材の回転速度が減速を開始し、蓋体が任意の角度に通常開口した時点でスリップ部材と挿通孔の内壁とのスリップ抵抗が最大となって、蓋体の開口速度が減速しながら停止するように設定したことを特徴とする請求項１から３に記載のヒンジ機構。
【請求項５】
前記収納容器における蓋体の初期開口の角度が０°から９０°の範囲で任意に設定可能であり、かつ通常開口の角度が９０°から１８０°の範囲で任意に設定可能であることを特徴とする請求項１から４に記載のヒンジ機構。
【請求項６】
前記収納容器における蓋体が初期開口角度である３０°付近まで開口した時点でスリップ部材と挿通孔の内壁とのスリップが開始され、このスリップ部材のスリップ抵抗により、回転部材の回転速度が減速を開始し、蓋体が通常開口角度である１３５°付近まで開口した時点でスリップ部材と挿通孔の内壁とのスリップ抵抗が最大となって蓋体の開口速度が減速しながら停止するようにしたことを特徴とする請求項１から５に記載のヒンジ機構。
【請求項７】
前記スリップ部材がシリコンラバー、熱可塑性エラストマー、軟質ポリエチレン、発泡樹脂のいずれかを素材とし、回転部材の外周に直線状または螺旋状に形成した溝に固着したことを特徴とする請求項１から６に記載のヒンジ機構。
【請求項８】
前記収納容器におけるヒンジの回転中心が箱体の上端面より、上方に位置したことを特徴とする請求項１から７に記載のヒンジ機構。
【請求項９】
前記収納容器が物品を収納可能な箱体と、開閉蓋と、係止手段とを備えた容器または容器類であって、化粧料容器、コンパクト容器、宝石箱、携帯用電子機器、化粧用具容器、コンタクトレンズ容器、眼鏡容器、サングラス容器、付け爪容器、付けまつ毛容器、腕時計容器、小物入れ容器のいずれかであることを特徴とする請求項１から８に記載のヒンジ機構。
【発明の詳細な説明】
【技術分野】
【０００１】  本発明は、主に収納容器におけるヒンジ機構であって、収納容器の蓋体がワンプッシュで所定の角度まで速度が可変しながらスムーズに開口可能なヒンジ機構に関する。
【背景技術】
【０００２】  従来のヒンジ機構を備えた収納容器である化粧料容器の形態を以下の図面を用いて説明する。
図１５は、従来の化粧料容器の斜視図である。
図１６（Ａ）は、従来の化粧料容器に於ける使用状態を示す説明図である。
（Ｂ）は、従来の化粧料容器に於ける使用状態で蓋体を開いた状態を示す説明図である。【０００３】  図１５に示すアイシャドーやグロスなどに使用されるカラーパレットと称される化粧料容器１０１は、容器本体１１０と蓋体１２０とからなり、この容器本体１１０には色違いの化粧料１０２と、この化粧料１０２を詰める詰替え容器１０３及び化粧筆などの化粧用具１０４が収納されたパレット１０５が設けられている。また、容器本体１０１を閉塞する蓋体１２０の内側には化粧時に顔を写すための鏡１０７が装着されている。【０００４】  蓋体１２０の開閉に関して、ヒンジ機構を備えたヒンジ部１３０の回転部材である支軸（図示せず）で開閉自在に枢着し、かつヒンジ部１３０内にいわゆる付勢部材であるねじりバネ（図示せず）を装着した後に蓋体１２０を矢印の開口方向へ付勢する。容器本体１１０の前部に係止手段である押しボタン１１１が配設されている。この押しボタン１１１に形成された係合凹部１１１ａへ、蓋体１２０の前部に垂下した係合突起１２１を係止させるとともに、容器本体１１０の前部に設けられた押しボタン１１１を押すことにより、蓋体１２０の係合突起１２１が押し出されて係合凹部１１１ａとの係止が解除され、開口するヒンジ機構を備えた化粧料容器１０１が知られている。【０００５】  また、化粧料容器の蓋体が所定の角度まで開く従来例として、特許文献１（特開２００５−１９２７０９号公報）の図４に開示されたものがある。いわゆる化粧料容器は、蓋体の開口角度を所望の角度に固定的に保持するための回転部材であるシャフト（支軸）に固定カムを備えるとともに、この固定カムに対向して２分割された滑動カムでねじりバネを挟持し、シャフトの軸方向に摺動自在に取付けられている。
【特許文献１】  特開２００５−１９２７０９号公報
【発明の開示】
【発明が解決しようとする課題】
【０００６】  従来のヒンジ機構を備えた化粧料容器１０１の開蓋の方法を図１６（Ａ）に示す。
先ず、蓋体１２０が閉じた状態の化粧料容器１０１の容器本体１１０を例えば左手の親指Ｈとその他の指Ｗとで挟むように掴んだ後に容器本体１１０の押しボタン１１１（図１５参照）を親指Ｈで押すと係止状態が解かれた蓋体１２０が付勢部材であるねじりバネ（図示せず）の付勢力によって開口角度３０°付近の位置ハまで初期開口する。次に、右手（図示せず）で蓋体１２０の両端部を掴み位置ハから予め設定された使用最適角度である開口角度１３５°付近の位置ニまで右手（図示せず）で開き使用する。従って、２アクションで蓋体１２０は、使用最適角度である開口角度１３５°付近まで開蓋することになる。【０００７】  また、従来のヒンジ機構を備えた化粧料容器１０１の蓋体１２０を１アクションで開蓋させる場合、付勢部材であるねじりバネ（図示せず）の付勢力を強くしたヒンジ部１３０を備える必要がある。この場合、図１６（Ｂ）に示すように容器本体１１０の押しボタン１１１（図１５参照）を親指Ｈで押すと係止状態が解かれた蓋体１２０が付勢部材であるねじりバネ（図示せず）の付勢力によって図１６（Ａ）に示す位置ニまで減速なしに一気に開口する。この際、１６（Ｂ）に示すように蓋体１２０は、開口の反動で親指Ｈ及び指Ｉから外れて下面に落下して化粧料容器１０１を破損することがあった。【０００８】  また、化粧料容器１０１が図１６（Ｂ）に示す状態でたとえ落下しないとしても蓋体１２０が減速なしに勢い良く開口する反動で化粧料１０２（図１５参照）が飛散したり、パフなどの化粧用具が下面に落下して汚れたり破損したりすることもあった。【０００９】  また、特許文献１に記載の化粧料容器は、特開２００５−１９２７０９号公報（図４）でも分かるようにシャフト（支軸）に取付ける複雑な形状をした固定カムや２分割された滑動カムの製作が難しく一般に普及するにはその加工による製造コストが高くなる等の問題もあった。【００１０】  本発明は、上述した問題点を解決するためになされたもので、
化粧料容器の押しボタンを押して係止状態が解除された蓋体がねじりバネの付勢力により、回転角度が３０°付近まで初期開口し、その後もスリップ部材のスリップ抵抗により、化粧料容器の容器本体を指で保持したまま減速しながら回転角度が１３５°付近の通常開口するまでゆっくり動作して停止するので、例えば左手で化粧料容器を持ち、左手の親指で押しボタンを押して蓋体が１アクションで開口できるヒンジ機構の提供を目的とする。【００１１】  また、上述した問題を解決するため、化粧料容器のヒンジの構造を簡素にしてヒンジ機構を構成する部品点数を少なくすることによって製造が極めて容易になり、さらに部品形状を簡素にして、その加工による製造コストも安く抑えることができるヒンジ機構の提供をも目的とする。
【課題を解決するための手段】
【００１２】  上述した目的を達成するために、本発明に係るヒンジ機構は、物品を収納可能な箱体と、この箱体を閉塞する蓋体とからなり、箱体と、蓋体とはヒンジを介して開閉自在に回動するとともに、箱体を蓋体により閉塞した状態で、蓋体の開口動作を防止する係止手段を設けた収納容器において、
この収納容器の係止手段による係止を解除した際に、ヒンジによって開口する蓋体の開口状態が初期開口と、この初期開口以降の通常開口との少なくとも２段階で開口するとともに、それぞれ異なる速度で開口することを特徴とした【００１３】  係る構成により、本発明に係るヒンジ機構は、収納容器における蓋体の係止手段が解除された時、初期開口と通常開口の少なくとも２段階の異なる速度で開口する。従って、初期開口速度を速くし、かつ、通常開口速度を遅くした場合、蓋体を開口させたときに反動が発生せずスムーズに開口する上述目的を達成可能な収納容器を提供できる。【００１４】  また、本発明に係る前記収納容器におけるヒンジは、箱体側ヒンジ部と蓋体側ヒンジ部とからなり、互いに連通する挿通孔を有しており、この挿通孔内に付勢部材を配し、かつ、この付勢部材によって回転する回転部材を配するとともに、この回転部材に固着されたスリップ部材とからなり、このスリップ部材は、挿通孔の内壁にスリップしながら回転部材とともに回転することを特徴とした。【００１５】  係る構成により、本発明に係るヒンジ機構は、従来のヒンジ機構とほぼ同様の構造で構成部品も回転部材と一緒に回転するスリップ部材を備えるだけで、収納容器における蓋体の係止手段が解除された時、初期開口と通常開口の少なくとも２段階の異なる速度で開口する。従って、初期開口速度を速くし、かつ、通常開口速度を遅くすることにより蓋体を開口させたときにスムーズに動作して反動が発生せず上述目的を達成可能な収納容器を提供できる。【００１６】  また、本発明に係るヒンジ機構の前記付勢部材は、一端が箱体側ヒンジ部に係止されるとともに、他端が回転部材に係止されており、この回転部材は、箱体側ヒンジ部の挿通孔内にスリップ部材側を配し、一方対向する側を蓋体側の挿通孔に固定したことを特徴とする。【００１７】  係る構成により、本発明に係るヒンジ機構は、ヒンジの挿通孔に付勢部材であるねじりバネと、スリップ部材とを設けた回転部材を備えるだけであり、また簡素な構成と部品点数及び部品形状も複雑なものではなく簡単な加工で製作でき、従って低コストで蓋体がスムーズに可変しながら開口可能な化粧料容器を廉価に提供できる。【００１８】  また、本発明に係るヒンジ機構は、前記箱体側ヒンジ部における挿通孔は、断面が略楕円形状をなしており、スリップ部材を備えた回転部材の初期開口時にはスリップ部材の先端が挿通孔の内壁に無接触であり、蓋体が任意の角度に初期開口した時点でスリップ部材と挿通孔の内壁とが接触し、干渉が始まるとともに、このスリップ部材のスリップ抵抗により、回転部材の回転速度が減速を開始し、蓋体が任意の角度に通常開口した時点でスリップ部材と挿通孔の内壁とのスリップ抵抗が最大となって、蓋体の開口速度が減速しながら停止するように設定したことを特徴とする。【００１９】  係る構成により、本発明に係るヒンジ機構は、断面略楕円形状である挿通孔の内壁を回転部材と一緒に回転するスリップ部材が無接触状態から挿通孔の内壁との接触が始まるまでの初期開口における速度と、スリップ部材が挿通孔の内壁との接触を始めてから回転部材の回転速度が減速され、挿通孔の内壁とのスリップ抵抗が最大に���った時点で回転が停止するまでの少なくとも２段階の異なる速度で開口するので上述目的を達成可能な収納容器を提供できる。【００２０】  また、本発明に係るヒンジ機構は、前記収納容器における蓋体の初期開口の角度が０°から９０°の範囲で任意に設定可能であり、かつ通常開口の角度が９０°から１８０°の範囲で任意に設定可能であることを特徴とする。【００２１】  係る構成により、本発明に係るヒンジ機構は、スリップ部材が無接触状態から挿通孔の内壁との接触が始まるまでの初期開口角度を０°から９０°の範囲で任意に設定可能であり、スリップ部材が挿通孔の内壁との接触を始めてから回転部材の回転速度が減速され、かつ、挿通孔の内壁とのスリップ抵抗が最大になった時点で回転が停止するまでの通常開口角度を９０°から１８０°の範囲で任意に設定可能にしたことにより、種々の用途に適した収納容器を提供できる。【００２２】  また、本発明に係るヒンジ機構は、前記収納容器における蓋体が初期開口角度である３０°付近まで開口した時点でスリップ部材と挿通孔の内壁とのスリップが開始され、このスリップ部材のスリップ抵抗により、回転部材の回転速度が減速を開始し、蓋体が通常開口角度である１３５°付近まで開口した時点でスリップ部材と挿通孔の内壁とのスリップ抵抗が最大となって蓋体の開口速度が減速しながら停止するようにしたことを特徴とする。【００２３】  係る構成により、本発明に係るヒンジ機構は、収納容器が化粧料容器、コンパクト容器など鏡付きの開閉する蓋体の使用において断面略楕円形状である挿通孔の内壁を回転部材と一緒に回転するスリップ部材が無接触状態から挿通孔の内壁との接触が始まるまでの初期開口における最適角度を３０°付近とし、スリップ部材が挿通孔の内壁との接触を始めてから回転部材の回転速度が減速され、挿通孔の内壁とのスリップ抵抗が最大になった時点で回転が停止するまでの最適角度を１３５°付近としたことにより、蓋体の開口時に発生する反動を少なくでき、かつ、蓋体の裏側に備えた鏡を最適な開口角度で使用できるので上述目的を達成可能な収納容器を提供できる。【００２４】  また、本発明に係るヒンジ機構は、前記スリップ部材がシリコンラバー、熱可塑性エラストマー、軟質ポリエチレン、発泡樹脂のいずれかを素材とし、回転部材の外周に直線状または螺旋状に形成した溝に固着したことを特徴とする。【００２５】  係る構成により、本発明に係るヒンジ機構は、加工の容易なシリコンラバー、熱可塑性エラストマー、軟質ポリエチレン、発泡樹脂でスリップ部材が製造でき、かつ支軸の胴部の外周に直線状または螺旋状に形成された溝に簡単に固着できるので安いコストで製造可能になった。【００２６】  また、本発明に係るヒンジ機構は、前記収納容器におけるヒンジの回転中心が箱体の上端面より、上方に位置したことを特徴とする。【００２７】  係る構成により、本発明に係るヒンジ機構は、蓋体の回転中心であるヒンジが使用者の指の上方に設けられているので蓋体の最大開口状態にあっても指に蓋体が接触することがなく化粧料容器を保持できる。従って、手に持った化粧料容器を落とし、破損する等の問題もなくなった。【００２８】  また、本発明に係るヒンジ機構は、前記収納���器が物品を収納可能な箱体と、開閉蓋と、係止手段とを備えた容器または容器類であって、化粧料容器、コンパクト容器、宝石箱、携帯用電子機器、化粧用具容器、コンタクトレンズ容器、眼鏡容器、サングラス容器、付け爪容器、付けまつ毛容器、腕時計容器、小物入れ容器のいずれかであることを特徴とする。【００２９】  係る構成により、本発明に係るヒンジ機構は、蓋体のスムーズな開閉動作を収納容器が後述する化粧料容器、コンパクト容器、宝石箱、携帯用電子機器のほか収納容器が開閉蓋と係止手段とを備えた容器または容器類であれば化粧用具容器、コンタクトレンズ容器、眼鏡容器、サングラス容器、付け爪容器、付けまつ毛容器、腕時計容器、小物入れ容器のいずれかに適用可能である。
【発明の効果】
【００３０】  本発明に係るヒンジ機構は、ヒンジの挿通孔にねじりバネと、スリップ部材とを設けた回転部材を備えるのみの簡素な構造で、蓋体がスムーズに開口可能な化粧料容器ほか収納容器が開閉蓋と係止手段とを備えた容器または容器類であればコンパクト容器、宝石箱、携帯用電子機器、化粧用具容器、コンタクトレンズ容器、眼鏡容器、サングラス容器、付け爪容器、付けまつ毛容器、腕時計容器、小物入れ容器を低コストで提供できる効果を有する。【００３１】  また、容器本体側ヒンジ部における挿通孔の断面が略楕円形状をなしているため、スリップ部材を備えた回転部材の初期開口が０°から９０°の任意の範囲で蓋体の開口速度が速くなり、通常開口が９０°から１８０°の任意の範囲で蓋体が減速しながら停止するので化粧料容器及びコンパクト容器、宝石箱、携帯用電子機器、化粧用具容器、コンタクトレンズ容器、眼鏡容器、サングラス容器、付け爪容器、付けまつ毛容器、腕時計容器、小物入れ容器が蓋体の開口による反動で使用者の手から落ちて破損することがなくなるなどの効果があった。【００３２】  また、シリコンラバーを使用したスリップ部材を回転部材に螺旋状に固着したので低コストで、蓋体がよりスムーズに開口可能な化粧料容器及びコンパクト容器、宝石箱、携帯用電子機器、化粧用具容器、コンタクトレンズ容器、眼鏡容器、サングラス容器、付け爪容器、付けまつ毛容器、腕時計容器、小物入れ容器を廉価に提供できる効果があった。【００３３】  また、化粧料容器及びコンパクト容器、宝石箱、携帯用電子機器、化粧用具容器、コンタクトレンズ容器、眼鏡容器、サングラス容器、付け爪容器、付けまつ毛容器、腕時計容器、小物入れ容器のヒンジの回転中心を容器本体の上端面より、上方に位置したことによって蓋体が最大に開口しても指で容器本体を掴むことができ、蓋体の開口時に反動によって手から外れず化粧料容器及びコンパクト容器、宝石箱、携帯用電子機器、化粧用具容器、コンタクトレンズ容器、眼鏡容器、サングラス容器、付け爪容器、付けまつ毛容器、腕時計容器、小物入れ容器を落として破損させることがなくなり、デザイン性も良くなるなどの効果もあった。
【発明を実施するための最良の形態】
【００３４】  以下に、本発明に係る化粧料容器の好適な一実施形態を添付した図面を参照しながら詳細に説明する。
図１は、本発明に係るヒンジ機構を備えた化粧料容器の斜視図である。
図２は、本発明に係るヒンジ機構を備えた化粧料容器の分解斜視図である。
図３は、本発明に係るヒンジ機構を備えた化粧料容器に於けるヒンジ部の部分分解斜視図である。
図４は、本発明に係るヒンジ機構を備えた化粧料容器に於ける支軸の斜視図である。
図５は、本発明に係るヒンジ機構を備えた化粧料容器に於けるスリップ部材を支軸に装着する状態を示す斜視図である。
図６（Ａ）は、本発明に係るヒンジ機構を備えた化粧料容器に於ける支軸の装着状態を示す平面から見た部分断面図である。
（Ｂ）は、本発明に係るヒンジ機構を備えた化粧料容器に於ける支軸を装着し、付勢部材と係止する状態を示す平面から見た部分断面図である。
（Ｃ）は、本発明に係るヒンジ機構を備えた化粧料容器に於ける平面から見た支軸を固着した状態を示す部分断面図である。
図７（Ａ）は、本発明に係るヒンジ機構を備えた化粧料容器に於ける蓋体を閉じた状態のヒンジ部の部分断面図である。
（Ｂ）は、本発明に係るヒンジ機構を備えた化粧料容器に於ける蓋体を３０°開口した状態のヒンジ部の部分断面図である。
（Ｃ）は、本発明に係るヒンジ機構を備えた化粧料容器に於ける蓋体が１３５°付近まで開口した状態のヒンジ部の部分断面図である。
図８は、本発明に係るヒンジ機構を備えた化粧料容器に於ける押しボタン部を示す部分分解斜視図である。
図９（Ａ）は、本発明に係るヒンジ機構を備えた化粧料容器に於ける押しボタン部を押す前の状態を示す部分斜視図である。
（Ｂ）は、本発明に係るヒンジ機構を備えた化粧料容器に於ける押しボタン部を押した状態を示す部分斜視図である。
図１０（Ａ）は、本発明に係るヒンジ機構を備えた化粧料容器に於ける蓋体を閉じた状態の押しボタン部と蓋体のフック部を示す部分断面図である。
（Ｂ）は、本発明に係るヒンジ機構を備えた化粧料容器に於ける押しボタン部を押して蓋体のフック部の係止を解除した状態を示す部分断面図である。
（Ｃ）は、本発明に係るヒンジ機構を備えた化粧料容器に於ける蓋体のフック部が外れ蓋体が開いた状態を示す部分断面図である。
図１１（Ａ）は、本発明に係るヒンジ機構を備えた化粧料容器に於ける使用状態を示す説明図である。
（Ｂ）は、本発明に係るヒンジ機構を備えた化粧料容器に於ける蓋体を開いた状態を示す説明図である。
【実施例】
【００３５】  図１に示すように、本発明のヒンジ機構を備えた収納容器であるアイシャドーやグロスなどに使用されるカラーパレットと称される化粧料容器１は、箱体である容器本体１０と蓋体２０とからなり、この容器本体１０には色違いの化粧料２と、この化粧料２を詰める詰替え容器３及び化粧筆などの化粧用具４が収納されたパレット５が収納部６に設置される。このパレット５は、容器３が収納される複数の収納部５ａと化粧用具４を固定する固定凹部５ｂとが一体に形成されている。また、容器本体１０を閉塞する蓋体２０の内側には化粧時に顔を写すための鏡７が装着されている。また、容器本体１０と蓋体２０とは後端に設けられたヒンジであるヒンジ部３０を介して開閉自在に回動する。【００３６】  図１及び図２に示すように、容器本体１０を蓋体２０により閉塞した状態で蓋体２０の開口動作を防止する係止手段である押しボタン１１が容器本体１０に形成されたスライド部１２（図２参照）にスライド可能に取付けられている。また、蓋体２０には垂下して凸設された係止手段を構成するフック２１が設けられ、概ね構成されている。【００３７】  上述した化粧料容器１におけるヒンジ機構であるヒンジ部３０は、箱体側ヒンジ部である容器本体側ヒンジ部５０と蓋体側ヒンジ部４０とから構成されている。さらにヒンジ部３０は、付勢部材である一対のねじりバネ６０と回転部材である一対の支軸７０とキャップ７５とが左右対称に配されている。【００３８】  図３に示すように、ヒンジ部３０の蓋体側ヒンジ部４０には一対の枢支部４１に断面略楕円形状をした挿通孔４２とこの挿通孔４２の内端に段差孔４３が連通して穿設されている。段差孔４３には、固定溝４３ａが形成されている。一方、ヒンジ部３０の容器本体側ヒンジ部５０には枢支部５１に挿通孔５２とこの挿通孔５２の両端に一対の保持孔５３が連通して穿設されている。また、一対の保持孔５３と挿通孔５２との段差壁には係止穴５３ａが所定の位置に凹設されている。【００３９】  また、一対の保持孔５３には一対のねじりバネ６０が収納されている。このねじりバネ６０の両端には係止突起６０ａ、６０ｂがそれぞれ形成されている。一方の係止突起６０ａが保持孔５２の係止穴５３ａに係止される。さらにヒンジ部３０には回転部材である一対の支軸７０が両端から取付けられて構成されている。この支軸７０にはキャップ７５に突設した突起７５ａを差込むための係止穴７４が凹設されており、目隠し用のキャップ７５が取付けられている。係止穴７４は、本来、後述する工具Ｇ（図６（Ｂ）参照）用の作業穴でもある。【００４０】  図３及び図４に示すように支軸７０は、胴部７１と頭部７２からなり、頭部７２には上述した係止穴７４が所定の位置に凹設されるとともに係止穴７２ａと固定突起７２ｂが形成されている。胴部７１にはスリップ部材である素材がシリコンラバー（その他の素材として熱可塑性エラストマー、軟質ポリエチレン、発泡樹脂のいずれであってもよい）からなるスリップ部材７３が螺旋溝７１ａに固着されている。また、図５に示すようにスリップ部材７３は、支軸７０に溝設された螺旋溝７１ａに差込むように取付けられる。【００４１】  上述した支軸７０のヒンジ部３０への取付���方法を図６（Ａ）から（Ｃ）に示す。
図６（Ａ）に示すように支軸７０は、胴部７１を蓋体側ヒンジ部４０の挿通孔４２に挿入される。この際、ねじりバネ６０は、一方の係止突起６０ａを保持孔５３の係止穴５３ａに係止され保持されている。【００４２】  次に、図６（Ｂ）に示すように支軸７０は、スリップ部材７３を固着した胴部７１を枢支部４１の挿通孔４２から押込むように挿入される。この時、支軸７０は、頭部７２の穴７４に工具Ｇを差込んで作業をすると容易に挿入できる。この段階では段差孔４３（図３参照）の固定溝４３ａと支軸７０の頭部７２に形成された固定突起７２ｂとは、まだ係合固定されていない。しかし、ねじりバネ６０と支軸７０とは他方の係止突起６０ｂと支軸７０の頭部７２に形成された係止穴７２ａとが係止されている。この状態でねじりバネ６０に付勢力を保持させるため、工具Ｇで支軸７０を所定の回数を回した後に、ねじりバネ６０の他方の係止突起６０ｂを係止穴７２ａに係止させる。【００４３】  そして、図６（Ｃ）に示すように支軸７０は、付勢力を保持したねじりバネ６０を支軸７０の頭部７２に形成された固定突起７２ｂを段差孔４３に形成した固定溝４３ａに位置を合わせ、工具などで叩くか強く押込んで嵌入し固定させる。この際、固定突起７２ｂの幅寸法は、固定溝４３ａの幅寸法より若干大きめに設定されているので一度嵌入させ固着させると通常の使用では抜けることはない。最後に係止穴７４に目隠し用のキャップ７５を差込んで見映えをよくする。【００４４】  以上のように構成された本発明のヒンジ機構であるヒンジ部３０の作動について図７（Ａ）から（Ｃ）を用いて説明する。
図７（Ａ）に示すように化粧料容器１の容器本体１０と蓋体２０とが閉じた状態において容器本体側ヒンジ部５０を構成する枢支部５１（図３参照）の挿通孔５２内には蓋体側ヒンジ部４０を構成する枢支部４１（図３参照）の挿通孔４２（図３参照）から挿入され、スリップ部材７３を固着した支軸７０が位置している。この位置では挿通孔５２の内壁とスリップ部材７３とは隙間を有しており、フリー（無負荷）な状態を維持している。【００４５】  従って、図７（Ｂ）に示すように容器本体１０と蓋体２０との係止が解除された場合、蓋体２０は、上述したねじりバネ６０（図３参照）の付勢力によって開口するが初期開口θ１である角度０°から３０°付近まで開口すると支軸７０と挿通孔５２との隙間が小さくなっていくので、この隙間を埋めるスリップ部材７３のスリップ量が増して回転するスリップ部材７３の先端が挿通孔５２の内壁にスリップし、変形しながら負荷（トルク）を増していき、蓋体２０の開口速度を遅くしていく。【００４６】  そして、図７（Ｃ）に示すように蓋体２０は、ねじりバネ６０（図３参照）の付勢力によってさらに開口していくが支軸７０と挿通孔５２との隙間が通常開口θ２である角度３０°から１３５°付近まで徐々に小さくなっていくので、この隙間を埋めるスリップ部材７３の抵抗が徐々に増して角度が１３５°付近で負荷（トルク）が最大になって蓋体２０の開口が停止する。また、蓋体２０の角度が１３５°以上開口しないようにこの角度で容器本体１０の立壁１０Ａに蓋体２０の突き当て部２０Ａが突き当たる構造となっている。【００４７】  上述した蓋体２０の開口動作は、押しボタン１１（図１０参照）を押して蓋体２０が開き始める初期開口θ１（図７（Ｂ）参照）である０°から３０°付近まではスリップ部材７３が無負荷のため速く開口し、以後、３０°から１３５°付近までの通常開口θ２（図７（Ｃ）参照）の範囲でスリップ部材７３に徐々に負荷が掛かり始めて開口速度を緩めていき１３５°付近で停止する。【００４８】  また支軸７０を装着する場合、スリップ部材７３が支軸７０に対して角度を有して螺旋状に固着されているのでスリップ部材７３の先端の挿通孔５２の内壁に対してスリップ部材７３の先端部から接触していき、蓋体２０の開口角度と共に徐々に全体が螺旋状に接触していく。従って、スリップ部材７３を支軸７０に直線状に取付けた場合に比較して接触部分（面積）が増して開口動作がスムーズになり耐久性も向上した。また、本出願人による実験の結果スリップ部材７３の部材としてシリコンラバーを使用した場合、接触面にシリコンオイルを塗布することによって、蓋体２０の開口動作がさらにスムーズになることが判明した。【００４９】  図７（Ａ）における挿通孔５２の断面は上述したように略楕円形状を形成している。そして支軸７０の回転中心Ｐから挿通孔５２の内壁までの寸法Ｌは、以下のとおりである。即ち、蓋体２０が閉じている場合は、支軸７０の回転中心Ｐからスリップ部材７３先端までの寸法Ｓより大きくＬ＞Ｓの関係に設定されている。【００５０】  また、図７（Ｂ）に示す初期開口θ１の範囲である３０°付近の支軸７０の回転中心Ｐから挿通孔５２の内壁までの寸法Ｌ１と上述した寸法Ｌと寸法Ｓと��、Ｌ＞Ｓ＞Ｌ１の関係に設定されている。【００５１】  さらに、図７（Ｃ）に示す回転角度が通常開口θ２の範囲である１３５°付近では支軸７０の回転中心Ｐから挿通孔５２の内壁までの寸法Ｌ２は、Ｌ＞Ｓ＞Ｌ１＞Ｌ２の関係に設定されている。【００５２】  尚、上述した初期開口θ１及び通常開口θ２の範囲は、それぞれ使いやすい角度に任意に設定されるものであって、特に角度３０°及び１３５°に限定されるものではない。従って、本発明のヒンジ機構は、収納容器１における蓋体２０の初期開口θ１の角度が０°から９０°の範囲で任意に設定可能であり、かつ通常開口θ２の角度が９０°から１８０°の範囲で任意に設定可能である。【００５３】  次に、係止手段である係止構造について図８から図１０を用いて詳細に説明する。
係止構造は、すでに図２で説明した蓋体２０に垂下して凸設されたフック２１と係合する受け入れ側である押しボタン１１により構成されている。
さらに、図８に示すように押しボタン１１の上方に係止孔１１ａと左右にスライド量を規制するスライド凹部１１ｂが形成されている。押しボタン１１は、容器本体１０の前方に形成されたスライド部１２の底面１２Ａにスライド可能に取付けられている。【００５４】  また、スライド部１２の後壁１２Ｂには一対の弾性片１３が斜めに凸設されている。さらに左右の側壁１２Ｃには押しボタン１１に設けた一対のスライド凹部１１ｂと係合する一対の突起１２ａが一体に突設形成されている。この突起１２ａは、略三角形状を有しており、押しボタン１１をスライド部１２に押圧していくと押しボタン１１は、突起１２ａの傾斜面を変形しながら挿入され、凹形状のスライド凹部１１ｂに突起１２ａが嵌った時に突起１２ａの直立面が押しボタン１１のスライドを規制し、押しボタン１１が外れない構造となっている。【００５５】  押しボタン１１のスライド方法について図９（Ａ）、（Ｂ）を用いて説明する。
図９（Ａ）に示すように容器本体１０のスライド部１２に配設された押しボタン１１は、この押しボタン１１の後端面１１ｄで突き当たっている一対の弾性片１３によって前方に付勢されている。この状態で押しボタン１１を矢印方向に押した状態となっている。【００５６】  図９（Ｂ）に示すように、押しボタン１１を矢印方向に押した状態で押しボタン１１の後端面１１ｄで突き当たっている一対の弾性片１３は、略弓形状に変形して反発力（付勢力）を強めている。そしてスライド凹部１１ｂに突起１２ａが突き当たった位置で押しボタン１１は停止する。この状態で押しボタン１１から指を離すと、一対の弾性片１３は、直線的な元の形状に復元して押しボタン１１が図９（Ａ）の状態に戻る。【００５７】  上述した係止手段である押しボタン１１とフック２１（図１参照）との係止及び解除について、図１０（Ａ）から（Ｃ）を用いて説明する。
図１０（Ａ）に示すように蓋体２０に凸設された係止手段であるフック２１は、押しボタン１１の係止孔１１ａに位置し、係止片１１ｃに引っ掛かり係止している。この状態で押しボタン１１を矢印方向に押していく。【００５８】  図１０（Ｂ）に示すようにスライド凹部１１ｂ（図９参照）は、スライド部１２（図９参照）をスライドする。スライドした押しボタン１１と一体に形成された係止片１１ｃもまた同時に移動して、フック２１の係止が解除する。【００５９】  そして図１０（Ｃ）に示すように上述したねじりバネ６０（図３参照）の付勢力によって、蓋体２０とともにフック２１は、押しボタン１１の係止孔１１ａから外れて蓋体２０はヒンジ部３０（図１参照）を中心に矢印方向に開口する。【００６０】  また、図１１（Ａ）に示すように本発明に係わるヒンジ機構を備えた化粧料容器１を親指Ｈとその他の指Ｗとで保持しながら、押しボタン１１（図１０参照）を押すと図１１（Ｂ）に示すように係止が解除される。そして蓋体２０は、ねじりバネ（図示せず）の付勢力により位置イ（３０°付近）まで減速なしに勢い良く一気に開口するが、位置イから位置ロ（１３５°付近）までは上述したように挿通孔５２（図７参照）の内壁形状とスリップ部材７３（図７参照）の干渉（スリップ）による負荷（トルク）で徐々に減速しながら開口し、停止するので通常の使用状態に於いて化粧料容器１が親指Ｈ及びその他の指Ｗからすり抜けて下面に落下し破損したり、開口した時の反動で化粧料２（図１参照）が飛散したりすることもなくなった。【００６１】  さらに、図１１（Ｂ）に示すように化粧料容器１の蓋体２０を位置口（１３５°付近）まで、開口しても容器本体１０に指で掴むスペースが残存しているのでヒンジ部３０がその他の指Ｗに触れず、上述同様、化粧料容器１が親指Ｈからすり抜けて下面に落下して破損することもなくなり、使用勝手が向上するだけでなく開口動作に優雅さが加わり、化粧料容器として女性に夢を与える商品となった。【００６２】  本発明に係わるヒンジ機構は、化粧料容器以外に収納容器が開閉蓋と係止手段とを備えた容器または容器類であれば適用可能である。その一例について図１２から図１４を用いて簡単に説明する。
図１２は、本発明に係るヒンジ機構を備えたコンパクト容器の斜視図である。
図１３は、本発明に係るヒンジ機構を備えた宝石箱の斜視図である。
図１４は、本発明に係るヒンジ機構を備えた携帯電子機器の斜視図である。【００６３】  図１２に示すように、本発明に係るヒンジ機構を備えたコンパクト容器１−１は、化粧料２−１などを収納した箱体である容器本体１０−１と、この容器本体１０−１を閉塞する蓋体２０−１とからなり、容器本体１０−１と蓋体２０−１とは上述したヒンジ機構を備えたヒンジ部３０−１を介して開閉自在に回動するとともに、係止手段である押しボタン１１−１とフック２１−１を容器本体１０−１と蓋体２０−１の所定の箇所にそれぞれ備えている。容器本体１０−１を蓋体２０−１が閉塞した状態で押しボタン１１−１を押すとフック２１−１が解除され、ヒンジ部３０−１のヒンジ機構の作動によって蓋体２０−１は、任意の開口角度に設定された初期開口θ１のように開口した後、減速しながらゆっくり通常開口θ２のように開口する。従って、化粧料２−１などを使用する際には蓋体２０−１の開口動作に優雅さが加わり、落下防止と併せてコンパクト容器として女性に夢を与える付加価値の高い商品となった。【００６４】  図１３に示すように、本発明に係るヒンジ機構を備えた宝石箱１−２は、指輪Ｒを収納した箱体である容器本体１０−２と、この容器本体１０−２を閉塞する蓋体２０−２とからなり、容器本体１０−２と蓋体２０−２とは上述したヒンジ機構を備えたヒンジ部３０−２を介して開閉自在に回動するとともに、係止手段である押しボタン１１−２とフック２１−２とを容器本体１０−２と蓋体２０−２の所定の箇所にそれぞれ備えている。容器本体１０−２を蓋体２０−２が閉塞した状態で押しボタン１１−２を押すとフック２１−２が解除され、ヒンジ部３０−２のヒンジ機構の作動によって蓋体２０−２は、任意の開口角度に設定された初期開口θ１のように開口した後、減速しながらゆっくり通常開口θ２のように開口する。従って、指輪Ｒをプレゼントする際には蓋体２０−１の開口動作に優雅さが加わり、落下防止と併せて宝石箱として女性に夢を与える付加価値の高い商品となった。【００６５】  図１４に示すように、本発明に係るヒンジ機構を備えたＰＤＡ（Ｐｅｒｓｏｎａｌ  Ｄｉｇｉｔａｌ  Ａｓｓｉｓｔａｎｔ）や電子辞書などの携帯電子機器１−３は、キーや電子部品（図示せず）などを内蔵した機器本体である容器本体１０−３と、蓋体２０−３とからなり、この蓋体２０−３の裏側には液晶表示部１７が設けられている。この容器本体１０−３と蓋体２０−３とは上述したヒンジ機構を備えたヒンジ部３０−３を介して開閉自在に回動するとともに、係止手段である押しボタン１１−３とフック２１−３とを容器本体１０−３と蓋体２０−３の所定の箇所にそれぞれ備えている。【００６６】  また容器本体１０−３を蓋体２０−２が閉塞した状態で押しボタン１１−３を押すとフック２１−３が解除され、ヒンジ部３０−３のヒンジ機構の作動によって蓋体２０−３は、任意の開口角度に設定された初期開口θ１のように開口した後、減速しながらゆっくり通常開口θ２のように開口する。従って、携帯電子機器１−３を使用する際には蓋体２０−３の開口動作に優雅さが加わり、落下防止と併せてＰＤＡや電子辞書の所有者に新たな付加価値を与えることとなった。【００６７】  本発明に係わるヒンジ機構は、本実施例ではコンパクト容器、宝石箱、携帯電子機器を例に説明したが、収納容器が開閉蓋と係止手段とを備えた容器または容器類であれば上述の他、化粧用具容器、コンタクトレンズ容器、眼鏡容器、サングラス容器、付け爪容器、付けまつ毛容器、腕時計容器、小物入れ容器のいずれかであっても適用可能であることは言うまでもない。
【産業上の利用可能性】
【００６８】  本発明に係わるヒンジ機構は、上述したように箱体と開閉する蓋体とからなり、かつ、ヒンジを有する収納容器で開口動作を防止する係止手段が設けられたものであれば、家庭用電気製品などの蓋体などへの利用が可能である。
【図面の簡単な説明】
【００６９】図１は、本発明に係るヒンジ機構を備えた化粧料容器の斜視図である。
図２は、本発明に係るヒンジ機構を備えた化粧料容器の分解斜視図である。
図３は、本発明に係るヒンジ機構を備えた化粧料容器に於けるヒンジ部の部分分解斜視図である。
図４は、本発明に係るヒンジ機構を備えた化粧料容器に於ける支軸の斜視図である。
図５は、本発明に係るヒンジ機構を備えた化粧料容器に於けるスリップ部材を支軸に装着する状態を示す斜視図である。
図６（Ａ）は、本発明に係るヒンジ機構を備えた化粧料容器に於ける支軸の装着状態を示す平面から見た部分断面図である。
（Ｂ）は、本発明に係るヒンジ機構を備えた化粧料容器に於ける支軸を装着し、付勢部材と係止する状態を示す平面から見た部分断面図である。
（Ｃ）は、本発明に係るヒンジ機構を備えた化粧料容器に於ける平面から見た支軸を固着した状態を示す部分断面図である。
図７（Ａ）は、本発明に係るヒンジ機構を備えた化粧料容器に於ける蓋体を閉じた状態のヒンジ部の部分断面図である。
（Ｂ）は、本発明に係るヒンジ機構を備えた化粧料容器に於ける蓋体を３０°開口した状態のヒンジ部の部分断面図である。
（Ｃ）は、本発明に係るヒンジ機構を備えた化粧料容器に於ける蓋体が１３５°付近まで開口した状態のヒンジ部の部分断面図である。
図８は、本発明に係るヒンジ機構を備えた化粧料容器に於ける押しボタン部を示す部分分解斜視図である。
図９（Ａ）は、本発明に係るヒンジ機構を備えた化粧料容器に於ける押しボタン部を押す前の状態を示す部分斜視図である。
（Ｂ）は、本発明に係るヒンジ機構を備えた化粧料容器に於ける押しボタン部を押した状態を示す部分斜視図である。
図１０（Ａ）は、本発明に係るヒンジ機構を備えた化粧料容器に於ける蓋体を閉じた状態の押しボタン部と蓋体のフック部を示す部分断面図である。
（Ｂ）は、本発明に係るヒンジ機構を備えた化粧料容器に於ける押しボタン部を押して蓋体のフック部の係止を解除した状態を示す部分断面図である。
（Ｃ）は、本発明に係るヒンジ機構を備えた化粧料容器に於ける蓋体のフック部が外れ蓋体が開いた状態を示す部分断面図である。
図１１（Ａ）は、本発明に係るヒンジ機構を備えた化粧料容器に於ける使用状態を示す説明図である。
（Ｂ）は、本発明に係るヒンジ機構を備えた化粧料容器に於ける蓋体を開いた状態を示す説明図である。
図１２は、本発明に係るヒンジ機構を備えたコンパクト容器の斜視図である。
図１３は、本発明に係るヒンジ機構を備えた宝石箱の斜視図である。
図１４は、本発明に係るヒンジ機構を備えた携帯電子機器の斜視図である。
図１５は、従来の化粧料容器の斜視図である。
図１６（Ａ）は、従来の化粧料容器に於ける使用状態を示す説明図である。
【符号の説明】
【００７０】１      化粧料容器
１−１  コンパクト容器
１−２  宝石箱
１−３  携帯電子機器
２      化粧料
３      詰替え容器
４      化粧用具
５      パレット
５ａ    収納部
５ｂ    固定凹部
６      収納部
７      鏡
１０、１０−１、１０−２、１０−３  容器本体
１１、１１−１、１１−２、１１−３  押しボタン
１１Ａ  後端面
１１ａ  係止孔
１１ｂ  スライド凹部
１１ｃ  係止片
１１ｄ  後端面
１２    スライド部
１２Ａ  底面
１２Ｂ  後壁
１２Ｃ  側壁
１２ａ  突起
１３    弾性片
２０、２０−１、２０−２、２０−３  蓋体
２１、２１−１、２１−２、２１−３  フック
３０、３０−１、３０−２、３０−３  ヒンジ部（ヒンジ機構）
４０    蓋体側ヒンジ部
４１、５１  枢支部
４２、５２  挿通孔
４３    段差孔
４３ａ  固定溝
５０    容器本体側ヒンジ部
５３    保持孔
５３ａ  係止穴
６０    ねじりバネ
６１ａ、６０ｂ  係止突起
７０    支軸
７１    胴部
７１ａ  螺旋溝
７２    頭部
７２ｂ  固定突起
７３    スリップ部材
７４    係止穴
７５    キャップ
θ１    初期開口
θ２    通常開口
Ｈ      親指
Ｗ      その他の指
【図１】
2008100762.tif 000003
【図２】
2008100762.tif 000004
【図３】
2008100762.tif 000005
【図４】
2008100762.tif 000006
【図５】
2008100762.tif 000007
【図６】
2008100762.tif 000008
【図７】
2008100762.tif 000009
【図８】
2008100762.tif 000010
【図９】
2008100762.tif 000011
【図１０】
2008100762.tif 000012
【図１１】
2008100762.tif 000013
【図１２】
2008100762.tif 000014
【図１３】
2008100762.tif 000015
【図１４】
2008100762.tif 000016
【図１５】
2008100762.tif 000017
【図１６】
2008100762.tif 000018
【手続補正書】
【提出日】平成19年1月11日(2007.1.11)
【手続補正１】
【補正対象書類名】明細書
【補正対象項目名】００６８
【補正方法】変更
【補正の内容】
【００６８】
本発明に係わるヒンジ機構は、上述したように箱体と開閉する蓋体とからなり、かつ、ヒンジを有する収納容器で開口動作を防止する係止手段が設けられたものであれば、家庭用電気製品などの蓋体などへの利用が可能である。
【図面の簡単な説明】
【００６９】
図１は、本発明に係るヒンジ機構を備えた化粧料容器の斜視図である。
図２は、本発明に係るヒンジ機構を備えた化粧料容器の分解斜視図である。
図３は、本発明に係るヒンジ機構を備えた化粧料容器に於けるヒンジ部の部分分解斜視図である。
図４は、本発明に係るヒンジ機構を備えた化粧料容器に於ける支軸の斜視図である。
図５は、本発明に係るヒンジ機構を備えた化粧料容器に於けるスリップ部材を支軸に装着する状態を示す斜視図である。
図６（Ａ）は、本発明に係るヒンジ機構を備えた化粧料容器に於ける支軸の装着状態を示す平面から見た部分断面図である。
（Ｂ）は、本発明に係るヒンジ機構を備えた化粧料容器に於ける支軸を装着し、付勢部材と係止する状態を示す平面から見た部分断面図である。
（Ｃ）は、本発明に係るヒンジ機構を備えた化粧料容器に於ける平面から見た支軸を固着した状態を示す部分断面図である。
図７（Ａ）は、本発明に係るヒンジ機構を備えた化粧料容器に於ける蓋体を閉じた状態のヒンジ部の部分断面図である。
（Ｂ）は、本発明に係るヒンジ機構を備えた化粧料容器に於ける蓋体を３０°開口した状態のヒンジ部の部分断面図である。
（Ｃ）は、本発明に係るヒンジ機構を備えた化粧料容器に於ける蓋体が１３５°付近まで開口した状態のヒンジ部の部分断面図である。
図８は、本発明に係るヒンジ機構を備えた化粧料容器に於ける押しボタン部を示す部分分解斜視図である。
図９（Ａ）は、本発明に係るヒンジ機構を備えた化粧料容器に於ける押しボタン部を押す前の状態を示す部分斜視図である。
（Ｂ）は、本発明に係るヒンジ機構を備えた化粧料容器に於ける押しボタン部を押した状態を示す部分斜視図である。
図１０（Ａ）は、本発明に係るヒンジ機構を備えた化粧料容器に於ける蓋体を閉じた状態の押しボタン部と蓋体のフック部を示す部分断面図である。
（Ｂ）は、本発明に係るヒンジ機構を備えた化粧料容器に於ける押しボタン部を押して蓋体のフック部の係止を解除した状態を示す部分断面図である。
（Ｃ）は、本発明に係るヒンジ機構を備えた化粧料容器に於ける蓋体のフック部が外れ蓋体が開いた状態を示す部分断面図である。
図１１（Ａ）は、本発明に係るヒンジ機構を備えた化粧料容器に於ける使用状態を示す説明図である。
（Ｂ）は、本発明に係るヒンジ機構を備えた化粧料容器に於ける蓋体を開いた状態を示す説明図である。
図１２は、本発明に係るヒンジ機構を備えたコンパクト容器の斜視図である。
図１３は、本発明に係るヒンジ機構を備えた宝石箱の斜視図である。
図１４は、本発明に係るヒンジ機構を備えた携帯電子機器の斜視図である。
図１５は、従来の化粧料容器の斜視図である。
図１６（Ａ）は、従来の化粧料容器に於ける使用状態を示す説明図である。
（Ｂ）は、従来の化粧料容器に於ける使用状態で蓋体を開いた状態を示す説明図である。